(57)【要約】  本発明は、腸の吻合を形成するための複合的な外科用装置であって、（ａ）ステント（１）及び柔軟な外部シース（２）からなるアンカー部材を備える保護装置（５）と、（ｂ）少なくとも１つの変形可能な第１のガイドチューブ（１２）を含む導入器（１０）と、を備え、前記外部シースの下流端は、前記第１のガイドチューブ（１２）又は第１の接続部品（１１）に接続されていて、前記外部シース（２）は、前記第１の変形可能なガイドチューブ（１２）の内側で折り畳まれ、前記ステントは、変形可能な前記第１のガイドチューブの内側で径方向に圧縮された状態で保持されることを特徴とする、複合的な外科用装置に関する。【選択図】図５Ｂ及び図８Ａ
2021500147.tif 000002
【特許請求の範囲】
【請求項１】
アンビル（８）及び円形ステープラー（９）を用いて腸内で吻合（１０１）を形成し、前記腸内の前記吻合を保護するための使用準備の整った部品を有する複合的な外科用装置であって、前記外科用装置は、
（ａ）前記吻合の上流（１００ａ）にある前記腸の内壁に一時的に固定できる少なくとも１つのステント（１）と柔軟なシース（２）とを有するアンカー部材を含む保護装置（５）であって、少なくとも前記シースの上流端は前記ステントに固定され、前記シースは、前記吻合が保護されることを可能にするために、前記アンカー部材の下流及び前記吻合の下流に延びることができる、保護装置（５）と、
（ｂ）第１のガイドチューブ（１２）と呼ばれる少なくとも１つの第１のチューブであって、前記ステント（１）は、前記第１のガイドチューブ（１２）の内側で、好ましくは前記第１のガイドチューブの遠位端で、径方向に圧縮された状態で保持され、前記第１のガイドチューブ（１２）は、導入器（１０）のガイドチューブの一部であり、又は導入器（１０）に可逆的に取り付け可能であり、前記第１のガイドチューブは、その長手方向の軸（ＸＸ’）に対する曲がりの形を変更可能である、第１のチューブと、を備え、
前記柔軟なシース（２）は、前記第１のガイドチューブ（１２）の内部に格納され、好ましくは折り畳まれ、前記シースの下流端（２ｂ）は、前記第１のガイドチューブ（１２）又は前記第１のガイドチューブ（１２）から独立した第１の接続部品（１１）に接続されていて、前記シース（２）は、前記第１のガイドチューブ（１２）の近位端又は前記第１の接続部品（１１）であって前記シースが固定されたものを引き出すことによって、前記ステントの下流に展開できることを特徴とする、複合的な外科用装置。
【請求項２】
請求項１に記載の複合的な外科用装置であって、前記保護装置（５）は、吸引チューブ（３）と呼ばれる少なくとも１つの柔軟なチューブを、好ましくは２つの吸引チューブを、備え、前記吸引チューブは、前記吸引チューブの下流に前記ステントの外側で延びることができ、前記吸引チューブの開放端は、前記ステントの内壁と前記ステントの内壁を覆う内部フィルムとの間に形成された真空チャンバー（４）に、前記ステントの内側において、開口していて、前記フィルムは、好ましくは、前記柔軟なシース（２）の延長部を構成し、前記吸引チューブ（３）は、前記第１のガイドチューブ（１２）の内部に配置され、好ましくは折り畳まれ、又は螺旋状に巻き付けられ、前記吸引チューブ（３）の下流端（３ｂ）は、前記第１のガイドチューブ（１２）又は前記第１の接続部品（１１）に接続され、前記吸引チューブ（３）は、前記第１のガイドチューブ（１２）の近位端又は前記第１の接続部品（１１）に可逆的に固定された前記アンビルを引き出すことによって、前記ステントの下流に展開されるように適合されていることを特徴とする、複合的な外科用装置。
【請求項３】
請求項１及び２のいずれか１項に記載の複合的な外科用装置であって、前記シース（２）の下流端（２）及び前記吸引チューブ（３）の下流端は、前記第１のガイドチューブの遠位端に接続され、前記第１のガイドチューブの近位端は、前記吻合の位置の上流に前記保護装置を導入するために導入器（１０）の第２の硬質ガイドチューブ（１３）の遠位端に可逆的に固定することができ、その後、前記吻合を形成するために前記アンビル（８）に可逆的に固定することができる、第２の接続部品（１２ｂ）を備えることを特徴とする、複合的な外科用装置。
【請求項４】
請求項３に記載の複合的な外科用装置であって、前記シース（２）の下流端（２）及び前記吸引チューブ（３）の下流端は、接着（２ｂ、３ｂ）又はねじ込みによって、前記第１ガイドチューブの遠位端に接続されていることを特徴とする、複合的な外科用装置。
【請求項５】
請求項３又は４のいずれか１項に記載の複合的な外科用装置であって、前記第２の接続部品（１２ｂ）は、アダプター（７）に固定されており又は可逆的に固定でき、前記アダプター自体が前記ステープラーアンビル（８）に可逆的に固定できることを特徴とする、複合的な外科用装置。
【請求項６】
請求項３から５のいずれか１項に記載の複合的な外科用装置であって、前記第２の接続部品（１２ｂ）は、アダプター（７）にねじ込み、接着、締め付け、又は磁気接続によって、固定されており又は可逆的に固定でき、前記アダプター（７）は、接着、ねじ込み、締め付け、又は磁気接続によって、それ自体が可逆的にアンビル（８）に固定できることを特徴とする、複合的な外科用装置。
【請求項７】
請求項３から６のいずれか１項に記載の複合的な外科用装置であって、前記第２の接続部品（１２ｂ）は、
・前記第２の硬質ガイドチューブ（１３）の遠位端に配置された第１の相補的なねじ込み部（１３ｂ）と、次に、
・前記アダプター（７）の遠位端に配置された第２の相補的なねじ込み部（７ａ）と、
ねじ込むことによって協働することができるねじ込み部を備えることを特徴とする、複合的な外科用装置。
【請求項８】
請求項１又は２に記載の複合的な外科用装置であって、前記シースの下流端及び好ましくは前記吸引チューブ（３）の下流端は、前記第１の接続部品（１１）に接続され、前記第１の接続部品（１１）の少なくとも１つの近位端（１１ｂ）が前記ステントの下流端の外側に配置されることを特徴とする、複合的な外科用装置。
【請求項９】
請求項８に記載の複合的な外科用装置であって、前記柔軟なシース（２）の下流端及び好ましくは前記吸引チューブ（３）の下流端は、前記第１のガイドチューブ（１２）から独立した前記第１の接続部品（１１）の遠位部分（１１ａ）に、好ましくは前記ステントの下流端の内側に配置された又は配置可能な筒状遠位部分（１１ａ）に、接続されていて、前記第１の接続部品（１１）の近位部分（１１ｂ）は、前記ステントの外側及び下流端に配置されていて、前記ステントは、好ましくは前記筒状遠位部分（１１ａ）よりも直径が大きい平坦な近位面を有することを特徴とする、複合的な外科用装置。
【請求項１０】
請求項８又は９に記載の複合的な外科用装置であって、前記柔軟なシース（２）の下流端及び前記吸引チューブ（３）の下流端は、接着又はねじ込みによって前記第１の接続部品（１１）に接続されていることを特徴とする、複合的な外科用装置。
【請求項１１】
請求項９又は１０に記載の複合的な外科用装置であって、前記第１の接続部品（１１）は、前記保護装置が前記吻合の位置の上流に導入されたときに、好ましくは接着、ねじ込み、締め付け、又は磁気結合によって、前記第１のガイドチューブ内のプッシャーロッド（１５ａ）の停止部（１５ｂ）に可逆的に固定できることを特徴とする、複合的な外科用装置。
【請求項１２】
請求項８から１１のいずれか１項に記載の複合的な外科用装置であって、前記第１の接続部品（１１）は、接着、ねじ込み、締め付け又は磁気結合によって、好ましくは接着によって、前記アンビル（８）に可逆的に直接固定されるように適合されていることを特徴とする、複合的な外科用装置。
【請求項１３】
請求項１から１２のいずれか１項に記載の複合的な外科用装置であって、前記第１のガイドチューブ（１２）の遠位端は柔軟な保持部（１２ａ）によって閉じられ、前記保持部（１２ａ）は、プッシャーロッド停止部（１５ａ）による前記第１のガイドチューブ内部における推力がない場合に、前記第１のガイドチューブ内部に前記保護装置（５）を保持でき、前記保持部は、弾性的に変形することができ、前記プッシャーロッド停止部による前記推力の影響下で前記保護装置（５）が抜け出るようにすることができることを特徴とする、複合的な外科用装置。
【請求項１４】
請求項１から１３のいずれか１項に記載の複合的な外科用装置であって、前記保護装置（５）と、前記保護装置（５）の前記アンカー部材（１）を前記吻合の位置の上流に留置することを可能にすることができる導入器（１０）と、を備え、前記導入器（１０）は、前記導入器の以下の２つの部分に固定され、及び／又は前記導入器の以下の２つの部分と協働することができる、ハンドル（１４）を備えることを特徴とする、複合的な外科用装置。
（ｂ１）前記第１のガイドチューブ（１２）であって、前記第１のガイドチューブ（１２）の内部で、前記第１のガイドチューブの遠位端の近くで、前記ステントが径方向の圧縮状態に保持され、前記第１のガイドチューブの近位端は、前記ハンドルと一体の第２の硬質ガイドチューブ（１３）に固定されている、前記第１のガイドチューブ（１２）と、
（ｂ２）プッシャー（１５）であって、前記プッシャー（１５）は、前記プッシャー（１５）の長手方向の軸（ＸＸ’）に対する曲がりの形を変更可能なプッシャーロッド（１５ａ）と、前記プッシャーロッドの遠位端にある前記プッシャー停止部（１５ｂ）と、を備え、前記プッシャーは、第２の硬質ガイドチューブ（１３）及び前記第１のガイドチューブ（１２）の内部において前記ハンドルから延びていて、前記プッシャーロッド（１５ａ）の近位端は、前記第１のガイドチューブに対する前記プッシャーロッドの相対的な並進を手動で制御することによって、前記ハンドルと協働するように適合されている、プッシャー（１５）。
【請求項１５】
請求項１４に記載の複合的な外科用装置であって、前記プッシャーロッド（１５ａ）は、仮想の長手方向の軸（ＸＸ’）に沿って螺旋状に巻かれており、同一直径で同軸の互いに接した複数の周回部を有する、鋼のワイヤーで形成された螺旋状のロッドであり、前記互いに接した複数の周回部の前記直径により、前記長手方向の軸に対する曲がりの形を変更可能であり９０°の屈曲を形成する曲がりを実現可能な変形可能ロッドが形成されていることを特徴とする、複合的な外科用装置。
【発明の詳細な説明】
【技術分野】
【０００１】
本発明は、腸吻合を形成及び保護するために有用な複合的な外科用装置に関する。
【背景技術】
【０００２】
大腸吻合は約２０％の癒合不全率がある。吻合（瘻）の癒合不全は、死亡率が約２０％の深刻な合併症である。吻合瘻の有害な影響を軽減するために、一部の患者は、吻合の上流にある皮膚と腸の間の出口（ストーマ）を利用して、消化流を外嚢に迂回させ、吻合と糞便との接触を回避する。ストーマは、吻合が治癒した後の２番目の工程で閉じられる。ストーマの存在とストーマを取り除くための再介入が必要となることは、患者にとって大きな負担であり、高い医療費の要因である。
【０００３】
これに関連して、糞便を腸管腔に迂回させ、オストミーを回避することを可能にする、ＦＲ２９４１８５８及びＥＰ２３９５９４２に記載されている吻合保護装置が提供された。この装置は、ステントの下流においてステントに取り付けられた柔軟な外部シースからなり、ステントは吻合の上流に固定されるように意図されている。ステントは腸壁への一時アンカー部材であり、シースを所定の位置に保持する。シースは、吻合の位置にある腸壁に接触することなく、糞便を肛門外口に向けて迂回させ、吻合を保護する。
【０００４】
ＷＯ２０１３／０１４３５３では、腸壁へのステントの固定又は腸壁からの離脱を制御する手段を追加することにより、この装置がさらに進歩した。これを行うために、装置の固定又は離脱は、内部シースとステント壁との間に区切られたチャンバーの空間に開口するチューブによって強化される。これにより、腸壁をステントに引き寄せることにより吸引効果を生み出して固定を強化するか、逆に空気又は流体を注入してそれを解放することが可能になる。
【０００５】
これを行うために、ＷＯ２０１３／０１４３５３の外科用装置の本質は、腸の粘弾性を利用して、腸の内壁がステントの外壁に引き付けられることにある。実際、腸の粘膜は柔軟で弾性があり、一方ステントの壁は相対的に硬い。腸壁は、ステントと粘膜の接触面の負圧によってステント外壁に（吸引によって）引き付けられ、接着されうる。この場合、腸とステントとの間の摩擦力はある種の吸引効果によって急速に著しく増大する。その結果、ステントの動きやすさは吸引効果と密接に関連し、その調整は腸内のステントの動作に影響を与える。
【０００６】
より正確には、この特許ＷＯ２０１３／０１４３５３では、外科用アンカー装置が記載されている。前記装置は、腸の内壁の粘膜にそれ自体を固定することができ、
（ａ）固定が制御下で修正可能な一時アンカー部材であって、前記一時アンカー部材は、少なくともステントタイプの第１の半硬質中空縦長部材を有し、前記第１の半硬質中空縦長部材は、第１の壁と呼ばれる、実質的に円形の断面を有する実質的に円筒形で複数の穴があいた流動部を備えた、長手方向軸の周りの回転形状の壁を定義し、前記第１の中空縦長部材は、収縮した状態において径方向に圧縮されることができ、径方向の圧縮から解放されると径方向に最大限拡張した前記状態をとることができるように、径方向の弾性特性を付与する材料でできており、前記複数の穴があいた第１の壁の第１の外直径は、
・前記第１の壁の前記径方向に収縮した状態における、２０ｍｍ以下、好ましくは１０ｍｍ以下である第１の最小外直径、と
・前記第１の壁の前記径方向に最大限拡張した状態における、好ましくは１８ｍｍから４５ｍｍにある第１の最大外直径、との間で制御下で変化可能である、一時アンカー部材と、
（ｂ）前記ステントに取り付けられ、その下流端から延びる柔軟な外部シースと、を備え、
前記第１の壁の円筒形の内表面の少なくとも一部、好ましくは全長が内部シースを形成する独立したシール層で覆われており、前記内部シースの長手方向の両端のみが、前記内部シースの前記長手方向の個々の端において、第１の密封手段、好ましくは接合融着又はエラストマー接着剤の環状シールによって、前記アンカー部材に密封されて取り付けられ、これにより真空チャンバーと呼ばれるチャンバーを前記内部シースと前記第１の壁との間に画し、前記一時アンカー部材は、注入−吸引チューブとして呼ばれる、前記アンカー部材の外部に延びる、柔軟な又は半硬質のチューブに連結され、前記注入−吸引チューブの開放端が前記真空チャンバーに開口している。
【０００７】
より具体的には、前記注入−吸引チューブは、その長手方向の自由端で好ましくは可逆的に接続末端部材に接続され、該接続末端部材は空気又は液体の注入又は吸引のための注射筒等の装置に可逆的に接続されているか、可逆的に接続することができ、前記接続末端部は遮断装置、好ましくは逆流防止弁と、前記真空チャンバーの真空度を示すことができる真空表示装置とを備え、特に前記真空表示装置は真空アンプル上に配置される。
【０００８】
前記チャンバーは、前記アンカー部材が最大限拡張した状態で腸壁の内表面に固定されて静止しているときは、内部シースの密封フィルムと腸壁との間に密封チャンバーを規定している。そして、前記アンカー部材が解放された場合、及び／又は前記アンカー部材が腸内で移動した場合は、前記チャンバーはその密封状態を失う。しかしその場合は、患者の外から前記チューブを通して該チューブの自由端から空気を吸引でき、これにより、前記チャンバーを画している前記第１の壁の外側表面の一部あるいは全部にわたって、前記第１の壁の外側表面に腸壁を引き付け、前記チャンバーの真空を保持し、そして前記チャンバーを密封することによって、アンカー部材の移動を停止する。
【０００９】
前記アンカー部材は、後述する「導入器」と呼ばれる器具を用いて、径方向に収縮した状態に保持することができ、アンカー部材が導入器から解放された後には径方向の拡張が起こる。
【００１０】
ＷＯ２０１３／０１４３５３には、導入器は、その一端にハンドルを備え、その内部に収縮した状態の前記アンカー部材と前記シースとを、好ましくは長手方向に広げた状態で、収容可能な内直径と長さを有する、既知のカテーテルタイプの半硬質ガイドチューブで構成されていてもよい。
【００１１】
ＷＯ２０１３／０１４３５３では、肛門への挿入のために、前記装置は以下を有する導入器をさらに有する。
・筒状の外部シースであって、前記収縮した状態に圧縮された前記アンカー部材と前記注入−吸引チューブを前記外部シースの遠位端内に収容及び保持することができ、前記シースと前記注入−吸引チューブをさらに収容するのに十分に長く、好ましくは少なくとも７０ｃｍ、好ましくは少なくとも１００ｃｍの長さである外部シースと、
・前記導入器の遠位端を、肛門外口から吻合の上流にある腸内の前記固定位置まで送り込む手段と、
・好ましくは、前記アンカー部材を外部ケーシングから外す手段であって、好ましくは、前記アンカー部材の長手方向の端と必要に応じて接触する停止部を、その遠位端に備えた停止チューブをさらに有し、前記アンカー部材の下流側の前記シースが前記外部ケーシング内部の前記停止チューブを取り囲んでいる手段。
【００１２】
吻合は、ステープラーを使用して既知の方法で形成され、吻合の位置の上流にある腸内に「アンビル」と呼ばれる円形断面の部品を挿入し、その後腸の自由端の位置でアンビルシャフトの周りに「巾着」と呼ばれるワイヤーを締め、その後吻合の下流部にあるステープラー本体をアンビルシャフトの位置まで係合させ、円形のステープラーをアンビルと連携させ、組織の切開とステープルの配置をすることによって形成される。
【００１３】
したがって、これらの上記で引用された以前の特許のように、吻合がステープラーを使用して、例えばＦＲ２８４６８６８に記載されている方法で形成される場合、吻合保護装置が腸内に配置される。肛門外口、次に吻合、そして吻合の上流に位置する腸を通してこの装置が導入されるのは、柔軟な導入器による方法である。導入器を除去した後、ステントは径方向に広がって腸の壁と接触し、一方シースと吸引チューブは、吻合の上流の固定位置から吻合を通って肛門外口までの腸の内腔に展開する。
【００１４】
これらの操作の安全性は証明されているが、ＷＯ２０１３／０１４３５３に記載されているように、一部の外科医は、新規に形成された吻合を通して物体を導入することに消極的である。
【発明の概要】
【００１５】
本発明によれば、吻合が形成される前であっても腸に導入することができる保護装置が提供される。この保護装置によれば、アンビル及びステープラーでの吻合形成を容易にし、外科手術中の工程数を減らし、作業時間を短縮することもできる。
【００１６】
この目的のために、原理的には、本発明の対象は、：
・吻合の上流にある腸管腔に吻合保護装置を配置するための手段であって、肛門外口及び新たに形成された吻合を通して導入される器具を必要としないが、ステープラーアンビルの配置に必要な病理学的腸の切除及び腸管腔の上流部の開口を、吻合保護装置の事前の配置に使用する、手段。
・固定装置を、外部シースを、及び吻合が形成された後にのみ、該当する場合は、吻合を介して吸引チューブを、展開するための手段であって、シース及び吸引チューブの展開は、ステープラーの除去によって、及びステープラーの除去とともに行われ、つまり、以下の工程の後に行われる手段：
・巾着を使ってアンビルの軸における上部の腸を閉じることと、
・肛門外口から腸の下流にステープラー本体を導入することと、
・アンビルをステープラー本体に固定することと、
・ステープラーで留めることと、
・肛門外口からアンビルとステープラーを除去すること。
【００１７】
この目的のために、本発明は、より正確には、アンビル及び円形ステープラーを用いて腸内で吻合を形成し、腸内の前記吻合を保護するための使用準備の整った部品を有する複合的な外科用装置であって、
（ａ）前記吻合の上流にある前記腸の内壁に一時的に固定できる少なくとも１つのステントと柔軟な外部シースを有するアンカー部材を含む保護装置であって、少なくとも前記シースの上流端は前記ステントに固定され、特に、前記吻合が形成され、前記アンビル及びステープラーが除去された後、前記外部シースは、前記吻合が保護されることを可能にするために、前記アンカー部材の下流及び前記吻合の下流に延びることができる、保護装置と、
（ｂ）第１のガイドチューブと呼ばれる少なくとも１つの第１のチューブであって、前記ステントは、前記第１のチューブの内側で、好ましくは前記第１のガイドチューブの遠位端で、径方向に圧縮された状態で保持され、前記第１のチューブは、導入器のガイドチューブの一部であるか、又は導入器に可逆的に取り付け可能であるように適合されていて、前記第１のチューブは、その長手方向の軸（ＸＸ’）に対する曲がりの形を変更可能である、第１のチューブと、を備え、
前記柔軟なシースは、前記第１のガイドチューブの内部に、そして場合により部分的又は完全に前記ステントの内部に、格納され、好ましくは折り畳まれ、前記シースの下流端は、前記第１のガイドチューブ又は前記第１のガイドチューブから独立した第１の接続部品に接続されていて、前記柔軟なシースは、前記第１のガイドチューブの近位端又は（ou respectivement）前記第１の接続部品であって前記シースが固定されたものを引き出すことによって、前記ステントの下流に展開できることを特徴とする、複合的な外科用装置を提供する。
【００１８】
より具体的には、前記第１のガイドチューブの近位端又は前記第１の接続部品は、前記近位端が前記アンビルに可逆的に固定できるような、可逆的な固定手段を備え、前記柔軟なシースは、前記第１のガイドチューブの近位端に又は前記第１の接続部品に可逆的に固定された前記アンビルを引き出すことによって、前記ステントの下流に展開できる。
【００１９】
より具体的には、前記第１のガイドチューブの近位端又は前記第１の接続部品は、接着、ねじ込み、締め付け、又は磁気接続によって、前記アンビルの前面に可逆的に取り付けるための手段を備える。前記アンビルの除去は、その前に前記第１のガイドチューブの前記近位端又は前記第１の接続部品に対して前記アンビルを分離させるという意味を含むことが理解される。
【００２０】
既知の方法で、前記導入器は、（ｉ）前記第１の変形可能なガイドチューブと、（ｉｉ）第２の硬質ガイドチューブであって、前記第１の変形可能なガイドチューブの近位端は、前記第２の硬質ガイドチューブの遠位端に取り付けられているか、又は取り付け可能である、第２の硬質ガイドチューブと、（ｉｉｉ）前記第２の硬質ガイドチューブの近位端に接続されたハンドルと、（ｉｖ）前記第２の硬質ガイドチューブ及び前記第１の変形可能なガイドチューブ内で前記ハンドルから延び、プッシャーロッドとプッシャーロッドの遠位端にあるプッシャー停止部とを備えるプッシャーと、を、少なくとも備える。
【００２１】
既知の方法で、前記導入器は、吻合の位置の上流に保護装置を留置することを可能にすることができ、前記プッシャー停止部は、前記保護装置を前記第１の変形可能なガイドチューブの遠位端の外側に押して、腸壁に対する前記ステントの径方向の拡張及び固定を可能にすることができ、前記プッシャーロッドの近位端は、前記第１の変形可能なガイドチューブに対する前記プッシャーロッドの相対的な並進を手動で制御することにより、前記ハンドルと協働することができる。
【００２２】
従来技術では、この型の導入器は、吻合が形成された後にのみステントを導入するために使用され、前記第１の変形可能なガイドチューブは、本発明によるものよりも長い。なぜなら、従来技術の前記第１の変形可能なガイドチューブは肛門外口から吻合の上流まで、つまり実際には少なくとも４５ｃｍまで、伸びていなければならないからである。
【００２３】
本発明によれば、吻合が形成される前に導入器がステントを導入するために使用されるので、吻合の位置の上流にステントを配置するための前記第１の変形可能なガイドチューブの長さは、例えば３０ｃｍ以下である。
【００２４】
したがって、吻合の上流における前記保護装置の固定後の導入器の除去は、吻合の下流にある腸内で部分的に前記シースを展開することを可能にし、前記外部シースの完全な展開は、肛門外口を介するステープラーの除去中に行われる。前記外部シースに取り付けられた導入器の前記第１の接続部品又は前記第１のチューブ以外の、導入器の部品の除去の後、第１の接続部品又は第１のチューブは以下に説明するように、吻合を形成するためにステープラーアンビルに直接又は間接的に、可逆的に取り付けられてもよい。
【００２５】
さらにより具体的には、前記シースの下流端が前記第１の接続部品に取り付けられるとき、前記第１の接続部品は前記ステントのすぐ下流に配置され、前記第１の接続部品を可逆的に取り付けるための前記手段は連続的に以下の役割を果たすことができる。
・１）導入の初期段階で前記導入器のプッシャーのストッパーに取り付け、導入の初期段階の終わりに、前記プッシャーの推力の影響下で前記ステントを前記第１のガイドチューブの上流に解放し、したがって、ステントは、腸の上流における、吻合の位置から上流に特定の距離、好ましくは吻合の位置の上流１０ｃｍから２０ｃｍに見られる。その後、
・２）前記プッシャーと前記導入器の部品との取り外し及び引き出しの後に前記アンビルに固定され、これによりステープラーを用いて前記吻合を形成することが可能となる。オプションでは、前記吻合の形成は、吻合の位置まで前記プッシャーを引き出すことによるステントの下流における前記シースの部分的な展開後、かつ、前記プッシャーの取り外しの前になされる。前記吻合の下流における前記シースの完全な展開は、前記吻合が形成された後に、前記第１の接続部品、前記アンビル、及び前記ステープラーと一体の部品の引き出しによって起こる。
【００２６】
さらにより具体的には、前記シースの下流端が前記第１のチューブに接続されるとき、前記第１のチューブは導入器に可逆的に取り付けることができ、前記第１のガイドチューブの近位端において前記可逆的な取り付け手段は連続的に以下の役割を果たす。
・１）導入の初期段階で、ハンドル及びプッシャーと一体の導入器の第２のガイドチューブの端に固定される。その後、
・２）前記第１のガイドチューブを取り外すとともに前記プッシャーの除去を含んだ前記導入器の残りの部分の除去の後、前記アンビルに固定され、これによりアンビル及びステープラーを用いて前記吻合を形成することが可能となる。オプションでは、前記吻合の形成は、ステントの下流における前記シースの部分的な展開後に、前記第１のチューブから吻合の位置に戻ることによってなされる。前記吻合の下流における前記シースの完全な展開は、前記吻合が形成された後に、前記第１のガイドチューブ、前記一体のアンビル及び前記ステープラーと一体の部品の完全な除去によって起こる。
【００２７】
本発明は、保護装置が吸引チューブと呼ばれる少なくとも１つの柔軟なチューブを、好ましくは２つの吸引チューブを、備え、前記吸引チューブは、特に前記吻合を形成して前記アンビル及びステープラーを除去した後に、前記吸引チューブの下流に前記ステントの外側で延びることができ、前記吸引チューブの開放端は、前記ステントの内壁と前記ステントの内壁を覆う内部フィルムとの間に形成された真空チャンバーに、前記ステントの内側において、開口していて、前記フィルムは、好ましくは、前記シースの延長部を構成し、前記吸引チューブは、前記第１のガイドチューブの内部に、オプションでは一部又は全体が前記ステントの内部に、収納され、好ましくは折り畳まれ、より好ましくは螺旋状に巻き付けられ、前記吸引チューブの下流端は、前記第１のガイドチューブ又は前記第１の接続部品に接続され、前記吸引チューブは、前記第１のガイドチューブの近位端又は前記第１の接続部品に可逆的に取り付けられた前記アンビルを除去することによって、前記ステントの下流に展開されるようにできることを特徴とする場合に特に有利である。
【００２８】
吸引チューブの開放端は、好ましくは、複数の穴によって穴が開いた前記チャンバー内のチューブの末端部分を有する。
【００２９】
２本の吸引チューブを使用すると、固定する力が高まり、例えば第１の吸引チューブが詰まった場合に、第１の吸引チューブの故障から保護される。
【００３０】
より具体的には、本発明による複合的な使用準備の整った装置は、以下の連続する工程が実行される本発明による複合的な外科用装置を使用して、外科治療方法で実施することができる。
Ｓ１）前記外科用装置は、吻合の位置の上流にある腸の一部にある腹部経路によって導入器を使って腸に導入され、導入器は、第１のガイドチューブを備えるか又は第１のガイドチューブに取り付けられ、前記アンカー部材は、前記第１のガイドチューブ内でプッシャーを作動することによって吻合の位置の上流で解放される。
Ｓ２）前記導入器の、前記第１のガイドチューブ以外の複数の部品又は前記第１の接続部品以外の複数の部品であって、複数の部品のそれぞれに前記シース及び前記吸引チューブが取り付けられている又は複数の部品の一方に前記シースが他方に前記吸引チューブが取り付けられている複数の部品が、腸から除去される。
Ｓ３）前記第１のガイドチューブの近位端に又は前記第１の接続部品に可逆的に固定されたステープラーアンビルが挿入される。
Ｓ４）吻合領域の腸組織の切開及び吻合の形成は、アンビルと協働してステープラーでステープラー留めすることによって実行される。
Ｓ５）アンビルに取り付けられたステープラー、ステープラー自体が前記第１のチューブ又は前記第１の接続部品に取り付けられている、が除去され、それにより、前記シース及び前記吸引チューブが展開する。
Ｓ６）肛門外口を通過した後、前記外部シースの下流端及び前記吸引チューブの下流端は、好ましくははさみを用いて、前記肛門外口の外側で、前記第１のガイドチューブ又は前記第１の接続部品から外される。
Ｓ７）吸引チューブの下流端は、真空チャンバー内の真空を維持することができ、それゆえ前記アンカー部材の移動を防止することができる、患者の外部の装置に接続される。
【００３１】
この方法は、大腸又は結腸、直腸、又は肛門管の吻合を一時的に保護して、吻合瘻のリスクを防止又は軽減するのに特に役立つ。この場合、好ましくは、前記吻合の上流の前記固定位置と前記吻合との間の距離は、少なくとも１０ｃｍに等しい。より具体的には、吻合と固定位置との間の距離は最大で２０ｃｍである。
【００３２】
以下に説明するように、本発明による装置は、吻合が形成される前に装置を留置可能であるので、ＷＯ２０１３／０１４３５５等の以前の設計で必要とされたものと比較して、一方では寸法が小さく、それゆえ吻合の位置の上流のより短い距離で留置されるステント及びシースを実装することを可能にする。その距離は、具体的にはわずか１０ｃｍから２０ｃｍである。
【００３３】
ここで使用される「吻合保護」という用語は、腸管通過が再開されたときの吻合の保護を意味する。
【００３４】
「下流」及び「上流」は、ここでは、腸管通過の上流から下流への移動方向、及び関連する装置が腸内に配置されて機能を果たすときの位置を指す。前記シースの「下流端」とは、吻合の完了後にステープラーを除去して展開された後、前記ステント内に展開されることが意図された端であり、第１のガイドチューブの内壁に固定されるためにこの下流端が初期に上流端に近づいても、前記ステント内に展開されることが意図された端であることが理解される。
【００３５】
「近位」及び「遠位」という用語は、ここでは、患者の体内への初期の導入の位置に関連する、関連する部材内の又は関連する部材の位置を指し、実際には、ここでは、導入器の部材に関する導入器のハンドルにも関連する。近位端及び上流端は、肛門外口又は吻合の下流にある腸の一部を通って導入するための下流端及び上流端にそれぞれ対応する。
【００３６】
本発明によるこの場合、導入器の第１の変形可能なガイドチューブ及び前記第２の硬質ガイドチューブの一部のみが、吻合の上流にある腸の一部の管腔に導入され、第２の硬質ガイドチューブの残りの部分及びハンドルは腸の外側に残っている。
【００３７】
導入器の「第１の変形可能なガイドチューブ」という用語は、実際には、前記シースよりも厚いエラストマー又はＰＵ材料でできていて、外見上の９０°の曲がり（une courbure a 90°externe）を形成できるまでその長手方向の軸に対して曲げることによって変形可能である、半柔軟なチューブを意味する。この第１の変形可能なガイドチューブには目盛が付いており、解放される前に留置位置を確認できる。
【００３８】
より具体的には、既知の方法で、前記シースは、前記内部シースの前記長手方向の個々の端で、密封固定手段によって、好ましくはエラストマー接着剤の溶融接合又は環状接合によって、前記アンカー部材に密封状態で固定され、前記内部シースと前記第１の壁との間の真空チャンバーを画するように、前記一時アンカー部材は吸引チューブと呼ばれる前記柔軟な又は半硬質チューブに結合され、前記アンカー部材の外側で延び、前記吸引チューブの開放端は前記真空チャンバーに開口する。
【００３９】
第１の実施形態では、前記シースの下流端及び前記吸引チューブの下流端は、前記第１のガイドチューブの遠位端に接続され、前記第１のガイドチューブの近位端（又は下流端）は、前記吻合の位置の上流に前記保護装置を導入するために導入器の第２の硬質ガイドチューブの遠位端（又は上流端）に固定されており又は可逆的に固定でき、その後、前記吻合を形成するために前記アンビルに可逆的に固定できる、第２の接続部品を備える。
【００４０】
第２の接続部品は、吻合の位置の上流に保護装置を導入するために前記第１のガイドチューブ及び前記第２の硬質ガイドチューブを接続し、次に導入器を除去するために前記第１のガイドチューブ及び前記第２の硬質ガイドチューブを接続解除してアンビル及びステープラーを使用するために、導入器の第２の硬質ガイドチューブの遠位端に前記第１のガイドチューブが固定されており又は可逆的に固定できる。
【００４１】
この第１の実施形態では、近位端に第２の接続部品を備える前記第１のガイドチューブは、吻合の形成中は腸に挿入されたままであり、アンビルとの接続により吻合の形成後にステープラーが除去されると腸から引き出され、これによって、前記ステントの下流における前記シース及び前記吸引チューブの完全な広がり及び展開が、前記第１のチューブとのそれらの接続により実現されうる。
【００４２】
より具体的には、この第１の実施形態では、前記シースの下流端及び前記吸引チューブの下流端は、接着又はねじ込みによって、前記第１のガイドチューブの遠位端（又は上流端）に接続されている。
【００４３】
この第１の実施形態では、より具体的には、シース及び吸引チューブは、それらの下流部を除いて、全体がステント内に配置されており、具体的には折り畳まれるか巻かれている。これらの下流部は、ステントの下流端においてステントから離れており、ステントの上流の前記第１のガイドチューブの上流端に接合されている。シース及び吸引チューブのこれらの外部部分は、ステントと第１のガイドチューブの内壁との間に挿入されている。
【００４４】
より具体的には、この第１の実施形態では、前記第２の接続部品は、アダプターに固定されており又は可逆的に固定でき、アダプター自体がステープラーアンビルに可逆的に固定できる。
【００４５】
より具体的には、この第１の実施形態では、前記第２の接続部品は、アダプターにねじ込み、接着、締め付け、又は磁気接続によって、固定されており又は可逆的に固定でき、前記アダプターは、接着、締め付け、又は磁気接続によって、それ自体が可逆的にステープラーアンビルに固定できる。
【００４６】
さらに具体的には、この第１の実施形態では、前記第２の接続部品は、
・前記第２の硬質ガイドチューブの遠位端に配置された第１の相補的なねじ込み部と、次に、
・前記アダプターの遠位端に配置された第２の相補的なねじ込み部と、
ねじ込むことによって協働することができるねじ込み部を備える。
【００４７】
以下のことが理解される。
・前記吻合が形成される前に前記吻合の位置の上流にある腸内において前記ステントの導入及びその後の固定ができるように、前記プッシャーによる保護装置の導入から解放の間、前記第２の接続部品は前記第２の硬質ガイドチューブの遠位端に可逆的に取り付けられ、
・前記吻合の位置の上流にある腸内において前記ステントが固定された後、前記ステープラーを用いて前記吻合が形成されるように、アンビルを可逆的に取り付けるために前記プッシャーを除去した後に、前記第２の接続部品は前記アンビル又は前記アダプターに可逆的に取り付けられる。
【００４８】
より具体的には、前記アダプターの平坦な近位部分は、前記アンビルの平坦な前面への接着による取り付けに適している。
【００４９】
第２の実施形態では、前記シースの下流端及び好ましくは前記吸引チューブの下流端は、前記第１の接続部品に接続され、前記第１の接続部品の少なくとも１つの近位端が前記ステントの下流端の外側に配置される。
【００５０】
より具体的には、この第２の実施形態では、前記シースの下流端及び好ましくは前記吸引チューブの下流端は、前記第１のガイドチューブから独立した前記第１の接続部品の遠位部分に、好ましくは前記ステントの下流端の内側に配置された又は配置されるよう適合された筒状遠位部分に、接続されていて、前記第１の接続部品の近位部分は、前記ステントの外側及び下流端に配置されていて、前記ステントは、好ましくは前記筒状遠位部分よりも直径が大きい平坦な近位面を有する。
【００５１】
したがって、初期及び導入段階の間、前記第１の接続部品は、前記第１のガイドチューブの内側に配置される。
【００５２】
より具体的には、この第２の実施形態では、シース及び吸引チューブは、その嚥下部を除いてステントの内側にすべて格納され、嚥下部はその嚥下端でステントから出て、ステントの嚥下端に対して押し付けられた第１の接続部品に接合されている。
【００５３】
この第２の実施形態では、保護装置全体及び前記第１の接続部品は、第１のガイドチューブ及び導入器から独立している。
【００５４】
より具体的には、前記シースの下流端及び前記吸引チューブの下流端は、接着又はワイヤーによって前記第１の接続部品に接続されている。
【００５５】
さらに具体的には、この第２の実施形態では、前記第１の接続部品は、前記保護装置が前記吻合の位置の上流に導入されたときに、好ましくは接着、ねじ込み、締め付け、又は磁気結合によって、前記第１のガイドチューブ内のプッシャーロッドの停止部に可逆的に固定されるように適合されている。
【００５６】
さらに具体的には、この第２の実施形態では、前記第１の接続部品は、接着、ねじ込み、締め付け又は磁気結合によって、好ましくは接着によって、前記アンビルに可逆的に直接取り付けられることに適している。
【００５７】
この実施形態では、吻合が形成される前に吻合の位置の上流に保護装置を導入した後、導入器を腸から完全に除去でき、腸に導入されたままの第１の接続部品のみが吻合を形成する目的でアンビルに固定され、ステープラーとアンビルとの接続により吻合が形成された後にステープラーが除去されたとき、前記第１の接続部品が腸から引き出され、これによって、前記第１の接続部品とのそれらの接続により前記ステントの下流において前記シース及び前記吸引チューブの完全な展開を実現できる。
【００５８】
以下のことが理解される。
・前記吻合が形成される前に前記吻合の位置の上流にある腸内において前記ステントの導入及び固定ができるように、前記プッシャーによる保護装置の導入から解放の間、前記第１の接続部品は前記プッシャー停止部に可逆的に取り付けられ、
・前記吻合の位置の上流にある腸内において前記ステントが固定された後、ステープラーを用いて前記吻合が形成されるように、前記導入器を完全に除去した後に、前記第１の接続部品は前記ステープラー又は前記アダプターに可逆的に取り付けられる。
【００５９】
さらにより具体的には、両方の実施形態において、前記第１のガイドチューブの遠位端は柔軟な保持部によって閉じられ、前記保持部は、プッシャーロッド停止部による推力がない場合に、前記第１のガイドチューブ内部に前記保護装置を保持でき、前記保持部は、弾性的に変形することができ、前記プッシャーロッド停止部による前記推力の影響下で前記保護装置が抜け出るようにすることができる。
【００６０】
さらにより具体的には、本発明による複合的な外科用装置は、前記保護装置と、前記保護装置を前記吻合の位置の上流に留置することを可能にすることができる導入器と、を備え、前記導入器は、固定され、及び／又は前記導入器の以下の２つの部分と協働することができる、ハンドルを備える。
（ｂ１）第１の変形可能なガイドチューブであって、前記第１の変形可能なガイドチューブの内部で、前記第１の変形可能なガイドチューブの遠位端の近くで、前記ステントが径方向の圧縮状態に保持され、前記第１の変形可能なガイドチューブの近位端は、前記ハンドルと一体の第２の硬質ガイドチューブに固定されている、第１の変形可能なガイドチューブと、
（ｂ２）プッシャーであって、前記プッシャーは、前記プッシャーの長手方向の軸に対する曲がりの形を変更可能なプッシャーロッドと、前記プッシャーロッドの遠位端にある前記プッシャー停止部と、を備え、前記プッシャーは、第２の硬質ガイドチューブ及び前記第１の変形可能なガイドチューブの内部において前記ハンドルから延びていて、前記プッシャーロッドの近位端は、前記第１の変形可能なガイドチューブに対する前記プッシャーロッドの相対的な並進を手動で制御することによって、前記ハンドルと協働するように適合されている、プッシャー。
【００６１】
より具体的には、前記プッシャーロッドは、仮想の長手方向の軸ＸＸ’に沿って螺旋状に巻かれており、同一直径で同軸の互いに接した複数の周回部を有する、鋼のワイヤーで形成された螺旋状のロッドであり、前記互いに接した複数の周回部の前記直径により、前記長手方向の軸に対する曲がりの形を変更可能であり９０°の屈曲を形成する曲がりを実現可能な変形可能ロッドが形成されている。
【００６２】
さらにより具体的には、前記ステントは、その長手方向の端部の一端に少なくとも１つの引き出し輪、好ましくはその長手方向端部の両端のそれぞれに２つの輪を備える。
【００６３】
本発明による複合的な外科用装置の新規な構造的特徴に由来する、ステントを固定し、吻合を形成するための方法の有利で新規な特徴は、
・吻合の位置の上流に保護装置を固定し、外科用ステープラーによって吻合を形成した後、単一の動作でシースと吸引チューブを展開し、ステープラーを除去することと、
・導入器が新規に形成された吻合を通過しないことと、
・手術時間の短縮と、である。
【００６４】
より具体的には、前記吸引チューブは半硬質チューブであり、特にＰＥ又はＰＰでできており、形状を変えずに、患者の肛門外口から前記アンカー部材まで腸内を延びることができる長さを有し、前記注入−吸引チューブの長さは好ましくは少なくとも２０ｃｍ、より具体的には５０ｃｍから１５０ｃｍにあり、前記吸引チューブの患者の外にある自由端が、後述するように、気体流体もしくは液体流体、特に空気もしくは冷たい液体の吸引又は注入のための装置に接続される。
【００６５】
より具体的には、外部シースの長さは前記アンカー部材が固定位置にあり、その下流に展開されているときに、吻合を保護し、肛門外口から突出する。
【００６６】
前記外部シースは、エラストマーでできていることによって、腸壁と同様に、前記シースを形作るエラストマー材料の特性である径方向及び長手方向に伸縮自在な特性を有し、シースは、径方向及び長手方向の弾性特性を有する。シースのこれらの径方向及び長手方向への弾性特性は、結腸壁のそれと同様である。
【００６７】
好ましい実施形態では、前記第１の壁の前記延在部分は、前記第１の壁の長手方向の上流端から、円筒形の延在部分の直径よりも小さい直径を有する所定外形の（profilee）下流端部分まで延び、前記第１の壁の下流端の径方向の拡張が最大であるときの外直径は２０ｍｍから４０ｍｍであり、第１の壁の前記所定外形の下流端の長さは１０ｍｍから３０ｍｍ、好ましくは１５ｍｍから２５ｍｍであり、好ましくは前記端部分の直径は、前記第１の壁の前記延在部と前記下流端との間で徐々に減少する。
【００６８】
より具体的には、前記一時的なアンカー部材は腸内プロテーゼであり、アンカー部材の前記第１の壁は螺旋状のワイヤー、好ましくは金属ワイヤーのメッシュで形成される。次に、知られたように、金属ワイヤーの交差角度が変化することによって、前記螺旋状のワイヤーのメッシュの網目のひし形又は平衡四辺形の幅を変化させることができ、径方向の拡張はその結果である。
【００６９】
好ましくは、前記アンカー部材は、環境温度２０℃に少なくとも等しい温度、特に人体の温度でのみで径方向の弾性によって拡張する材料でできており、前記アンカー部材は、前記環境温度より低い温度、好ましくは５℃より低い温度では前記径方向に収縮した状態にある。筒状の材料は、環境温度に応じて自動的に直径を変化させることが理解される。
【００７０】
より具体的には、前記アンカー部材は腸内プロテーゼであり、前記アンカー部材の前記第１の壁は螺旋状の糸、好ましくはニチノール製の糸のメッシュで形成される。ニチノールは環境温度（２５℃）以上の温度で、温度に応じて徐々に径方向に拡張する特性を有する合金である。それによって、より低い温度、具体的には保存時の４℃で、収縮した形状を保つことができる。低温で一旦収縮すると、導入チューブ内で収容されて前記導入器によって腸内に導入されるのに十分な時間、収縮した状態にとどまる。腸内に一旦放出されると、より高い環境温度、すなわち人体の温度の効果によって、プロテーゼは徐々に径方向に拡張する。実際に、ニチロール製のステントは、この合金の形状記憶によって、周囲温度に応じて合金の形状と剛性を変えることができる。具体的には、周囲温度が１５℃より低いとニチロールは柔軟で柔らかくなる。したがって、真空チャンバーに０℃から１５℃の温度の冷たい液体を注入することによってステントを柔らかくすることができ、例えば、それが吻合や狭窄した区間を通過するときに移動を容易にすることができる。
【００７１】
好ましくは、前記シースは、壁の厚さが０．０１ｍｍから１ｍｍの生体適合性合成材料、好ましくは厚さが０．０５ｍｍから１ｍｍのシリコーン又はプリウレタンタイプのエラストマー材料でできており、好ましくは径方向及び長手方向の弾性特性を有し、少なくとも前記外部シースが形状記憶特性と非接着特性を有する。
【００７２】
エラストマーでできていることによって、前記外部シースは、腸壁と同様に、前記外部シースを形作るエラストマー材料の特性である径方向及び長手方向に伸縮自在な特性を示し、シースは径方向及び長手方向への弾性特性を示す。外部シースのこれらの径方向及び長手方向への弾性特性は、結腸壁のそれと同様であり、アンカー部材の移動期間、すなわち少なくとも６日から１０日の期間にわたって、前記外部シース内の適切な腸管通過を実現する。
【００７３】
エラストマー製の外部シースの長手方向の弾性は、何らの困難なく、腸のそれよりも大きくすることができる。それどころか、肛門を通過した外部シースの部分を引っ張って、シースを切除し直腸内に引っ込めて戻すことができるという長所を有する。その径方向の弾性によって、外部シースの前記長手方向端が、径方向への拡張の程度によらず、前記アンカー部材の前記端に固定され続ける。
【００７４】
一方、外部シースの厚さの特徴が、その弾性と相まって形状記憶特性を与える。「形状記憶特性」の語は、ここでは、前記外部シースを構成するエラストマー材料が、折り曲げられて変形した後に自然に当初の形状に戻ることを意味する。外部シースは長いので、外部シースが折り曲げられた場合にも、移動の障害物を形成することなく材料が自然に元の縦長の形状に戻るために、これらの形状記憶特性は重要である。これは、アンカー部材解放後の移動中に実際に起こってもよい。
【００７５】
「非接着特性」の語は、前記外部シースを構成するエラストマー材料が、折り曲げられた際にも外部シース内壁の対向する２つの表面が互いに接着せず、通過するガスや物質に対する抵抗を生じないような接着係数を有することを意味する。
【００７６】
また、次のことが理解される。
・前記外部シースの直径は、静止状態で、前記中空アンカー部材が径方向に収縮した状態での前記減少した外直径と実質的に少なくとも等しく、静止状態の腸の直径よりも小さく、好ましくは前記外部シースの前記静止状態での直径は静止状態の腸壁の直径に実質的に等しい。そして、
・前記外部シースは、それが固定された前記アンカー部材の端から下流へ、前記吻合の上流の固定位置と好ましくは肛門外口に達する下流位置との間の距離に対応する長さにわたって延びている。
【００７７】
知られたように、金属ワイヤーの交差角度が変化することによって、前記螺旋状のワイヤーのメッシュの網目のひし形又は平衡四辺形の幅を変化させることができ、径方向の拡張はその結果である。
【００７８】
好ましくは、そして知られたように、ステントの螺旋状のワイヤーのメッシュのデザインと形状は、前記ステントの直径が変化してもその長さの変化が最小になるように、好ましくは径方向に圧縮されたときに実質的に長さが変化しないようになっている。
【００７９】
本発明の他の特徴及び利点は、以下の添付図面を参照して、以下の説明からより明らかになるであろう。以下の説明は、例示的であり網羅的ではない。
【図面の簡単な説明】
【００８０】
図１Ａ、１Ｂ及び図１Ｃは本発明による保護装置５の概略図を表す。これらの図は、ステント１の下流に展開した、シース２及び吸引チューブ３の側面図（図１Ａ）と、ラッソの輪６ｂがあるステント１の上流端又は遠位端の正面図（図１Ｂ）と、ステント１、シース２及び吸引チューブ３のそれぞれの配置を表し、吸引チューブ３はステント壁とシース２の内部２ａとの間の真空チャンバー４に開口している、保護装置５の長手方向の断面図と、を含む。
図２は、分解された導入器１０の様々な部品を示す。
図２Ａは、腸の上流部１００ａに挿入された第１のガイドチューブ１２を備えた導入器１０を示す。
図２Ｂは、プッシャーロッド１５（図２Ｂでは見えない）の推力による第１のガイドチューブ１２からのステントの解放を示す。
図３Ａ及び図３Ｂは、螺旋形状を有する変形可能なプッシャーロッド１５ｂの詳細を、側面図（図３Ａ）及びプッシャーロッド１５ｂの端部の１つの正面図（図３Ｂ）で、示す。
図４Ａから図４Ｃは、アンビル８を配置し、アンビル８と協働するステープラー９を用いて腸の上流部１００ａと下流部１００ｂとの間で吻合１０１をステープラー留めする様々な工程を示す。
図５Ａ、図５Ｂ、図６及び図７Ａから図７Ｄは、実施例１の実施形態に関する。
図５Ａ及び図５Ｂは、第１のチューブ１２の遠位端においてステントが圧縮されていて、第１のチューブ１２内のステントの内部でシース２及び吸引チューブ３が折り畳まれていて、シース２及び吸引チューブ３の下流端は第１のチューブの遠位端に接着され、保護装置５がプッシャー１５の停止部１５ｂによって第１のガイドチューブ１２から押し出される準備ができている、保護装置５の概略断面図（図５Ａでは部分的に分解）の２つの変形例を示す。
図６は、外側に解放されたステント１を概略的に示しており、シース２及び吸引チューブ３が取り付けられている第１のガイドチューブ１２が除去されることによって、ステントが解放されてステント１の下流にシース２及び吸引チューブ３が展開した後に、第１のガイドチューブ１２が導入器の残りの部分から分離され、プッシュロッドが退いている。
図７Ａから図７Ｃは、吻合が形成される前に、アンビルを第１のガイドチューブ１２の近位端に配置するための様々な工程を示す。
図７Ｄは、吻合形成後に第１のチューブ１２に取り付けられたステープラーを除去することによってシース２が展開できることを示す。
図８Ａ、図８Ｂ、図９Ａ、図９Ｂ、図１０Ａから図１０Ｃ、図１１Ａ、及び図１１Ｂは、実施例２の実施形態を表す。
図８Ａ及び図８Ｂは、ステント１の下流において第１のガイドチューブから独立した第１の接続部品１１に吸引チューブ３及びシース２を取り付けるための２つの変形例を示す。
図９Ａ及び図９ｂは、ステント１が第１のガイドチューブ１２の遠位端にあり、シース２及び吸引チューブ３がアダプター１１に取り付けられており、アダプター１１自体がプッシャー１５の停止部１５ｂに可逆的に取り付けられている、保護装置５を示す。
図１０Ａ、図１０Ｂ及び図１０Ｃは、ステント１が解放され、第１の接続部品１１に接続されたシース２及び吸引チューブ３が部分的に展開した後、第１のガイドチューブ１２を含む導入器１０が除去される様々な工程を示す。図１０Ｂは、アンビル８が第１の接続部品１１に接近することを示す。図１０Ｃは、吻合がステープラー９で形成される前に腸の上流部１０ａにおいてアンビル８が固定されることを示す。
図１１Ａ及び１１Ｂは、吻合１０１が形成されるときのシース２の下流端及びチューブ３の下流端にアンビル８が取り付けられたステープラー９を示し（図１１Ａ）、吻合１０１が形成された後、ステープラーを除去し、第１の接続部品１１から分離した後のステープラー９を示す（図１１Ｂ）。
【発明を実施するための形態】
【００８１】
以下の実施例１及び実施例２の２つの実施形態において、図２、図２Ａ、図２Ｂ、図３Ａ、及び図３Ｂを参照して以下に記載されるような導入器の一部にパッケージされた、ＷＯ２０１３／０１４３５３に記載されるタイプの図１Ａから図１Ｃの吻合保護装置５は、図４Ａから図４Ｃを参照して説明される吻合を形成するために使用される。
【００８２】
吻合保護装置５は、ステント１を有するアンカー部材を備え、ステント１の内壁は柔軟な内部シース２ａに覆われており、内部シース２ａは環状シール４ａと４ｂとの間で環状チャンバー４を画し、環状シール４ａ及び４ｂは内部シース２ａと穴のあいたステント壁との間を密封する。内部シース２ａは、柔軟な筒状の壁を形成する密封フィルムを構成し柔軟な外部シース２によって延ばされ、外部シース２は前記ステントの長手方向において前記アンカー部材の外側に延びる。したがって、ステントの内壁の円筒形の内表面の全長は、内部シース２ａを形成する独立したシール層によって２倍になり、前記内部シース２ａの長手方向の両端のみが、前記内部シースの前記長手方向の個々の端での溶融によって得られるエラストマー環状シールによって密封されて、前記アンカー部材１に取り付けられる。
【００８３】
よく知られたように、特許ＷＯ２０１３／０１４３５３に示されているように、好ましくは、ステント１はその上流端及び下流端に末広がり形状のフランジを含む。
【００８４】
内部シース２ａは、ステントが張らないように過度に伸ばされていないので、前記内部シース２ａとステントの最大の外直径との間の距離は、好ましくは０．２ｍｍから１０ｍｍ、より好ましくは１ｍｍから５ｍｍであり、前記内部シース２ａと前記ステント壁との間の空間は、真空チャンバー４と呼ばれるチャンバーを定義することが理解される。
【００８５】
本発明による保護装置５は吸引チューブ３と呼ばれる柔軟な又は半硬質チューブをさらに備え、吸引チューブ３は前記ステントの外側にある下流において延び、内部シース２ａとステント１の壁との間の真空チャンバー４に開口し、吸引チューブ３の上流部分は複数の穴を備え、該上流部分は装置の長手方向ＸＸにおいて前記チャンバー４の実質的に全長にわたって延びる。吸引チューブ３は、チューブ３が肛門外口を通して導入される場合、内部シース２ａの下流端においてエラストマー環状シールを通して密封されて通過することによって前記真空チャンバーに開口する。前記吸引チューブ３及び前記外部シース２は、前記ステントの同じ下流端から前記ステントの外側に延びる。
【００８６】
吸引チューブ３はチャンバー４に空気を注入又は吸引することに使用され、腸壁１００ａをステント１の外側に引き寄せ、より一般的には腸壁１００ａに対するステント１の固定特性を変更する。
【００８７】
チャンバー４内にある吸引チューブ３の一部３ａは、ステント１の内側又は前記外部シース２の外側に結合することができる。
【００８８】
あるいは、外部シース２は、その上流端において同じエラストマーの融着接合部４ａ及び４ｂに取り付けられてもよく、又はその長さの短い部分に重ねることによってステントの長手方向の下流端における外表面に取り付けられてもよい（図示せず）。
【００８９】
ステントは、径方向に収縮状態に圧縮されることができ、径方向の圧縮から解放されると径方向に最大限拡張した状態をとることができるように、径方向の弾性特性を付与する、螺旋状のニチノール製の金属ワイヤーのメッシュで形成されたタイプであり、前記複数の穴があいた第１の壁の第１の外直径は、
・前記第１の壁の前記径方向に収縮した状態における、１６ｍｍである最小の外直径、と
・前記第１の壁の前記径方向に最大限拡張した状態における、３７ｍｍである最大の外直径、との間で制御下で変化可能である。
【００９０】
上記の直径の寸法データは、直腸を含む間の様々な位置で、腸内壁の粘膜１０に対して装置を固定するのに適当な値に対応する寸法である。ステントは、３０°の角度で編まれたニチノール製の０．３２ｍｍワイヤーのメッシュでできており、流通部で直径３４ｍｍ、末広がり形状の端部で直径３７ｍｍであり、長さ１００ｍｍである。
【００９１】
ステントの近位部分及び遠位部分、ならびに該当する場合はフランジ（図示せず）には、引っ張られているステントの直径を小さくするためにラッソワイヤー６ａ及び６ｂがそれぞれ備わっている。これらのラッソワイヤー６ａ及び６ｂは内視鏡を介して挿入された専用のクランプ又はフックを用いてつかむことができる。
【００９２】
外に延びる前記シース２は、吻合と上流の固定位置との間の距離をカバーする長さ、すなわち、少なくとも１０ｃｍの長さを有する。
【００９３】
シース２は放射線不透過性である生体適合性合成材料で作られ、特に１８％ＢａＳＯ4を含むＴＰＵ９０ＡＥで作られ、その寸法特性は、厚さ１００μｍ、静止長４００ｍｍ（ステントの内部部分を除く）、外直径３７ｍｍである。
【００９４】
Ｐｅｂａｘ（Ｒマーク）エラストマー材料（ＡＲＫＥＭＡ社、フランス）で作られた前記吸引チューブ３は、内部シース２ａと同じ融着接合部４ａ及び４ｂによってステントの両端においてステントに取り付けられ、少なくとも吻合と上流の固定位置との間の距離をカバーする長さ、すなわち、少なくとも１０ｃｍの長さを有する。その特徴は、長さ５００ｍｍ±２ｍｍ；厚さ０５ｍｍ；内直径２ｍｍ；及び外直径３ｍｍである。
【００９５】
前記吸引チューブ３の長手方向の外部の自由端は、遮断装置を有する接続部品に可逆的に接続され、遮断装置は、チャンバー４内の真空度を示すための装置を備えた逆流防止弁を有する。
【００９６】
ステント１、外部シース２、及び注入−吸引チューブ３は、エラストマー材料で作られた変形可能な半硬質プラスチックチューブ１１に包まれる。半硬質プラスチックチューブ１１は以下、変形可能な第１のガイドチューブ１２と呼ぶ。この第１のガイドチューブ１２は、以下に説明する導入器１０の一部である。
【００９７】
ステントは、変形可能な前記第１のガイドチューブ１２の上流の遠位端に収縮した状態で（径方向に圧縮されて）導入され、前記外部シース２及び前記吸引チューブ３は、一部がステント内に、一部が導入器１０の第１のガイドチューブ１２内に、いくつか重ねられた層状に折り返されて配置される。
【００９８】
外部シース２及び吸引チューブ３の下流端の固定は実施例１及び実施例２の２つの実施形態で異なり、第１のガイドチューブ１１は以下に説明するように２つの実施形態の間で異なる特徴的な実装態様を有する。ステントは、カットアウトタブで作られたチューリップ１２ａと呼ばれる装置によって第１のガイドチューブ１２の内側に保持され、チューリップ１２ａは第１のガイドチューブ１２の上流端又は遠位端の通路を塞ぎ、チューリップ１２ａは後述するプッシャー停止部による推力がない場合にステントが外れるのを防ぐ。前記タブは前記推力の影響下で弾性変形可能であり、前記推力はステントを第１のガイドチューブ１２の外に排出することを可能にする。
【００９９】
導入器１０は、第２のガイドチューブとも呼ばれる第２の硬質チューブ１３に取り付けられているハンドル１４を備え、第２の硬質チューブ１３の遠位端は第１のガイドチューブ１２との接続部１３ａが末端である。この接続部１３ａは外側へ凸状に湾曲し、第１の変形可能なガイドチューブ１２及び停止部として機能する第２の硬質ガイドチューブ１３よりも直径が大きい。
【０１００】
ハンドル１４上の圧力ボタン又はプッシュボタン１４ａによる作動手段は、プッシャー１５のプッシャー停止部１５ｂが末端であるプッシャーロッド１５ａの長手方向の並進を制御する。プッシャーロッド１５ａ及びプッシャー停止部１２ｂは、第２の硬質チューブ１３の内部で同軸上に配置される。プッシャーロッド１５ａの近位端は、ハンドル１４のプッシュボタン１４ａと協働する。プッシャーロッドの遠位端及びプッシャー停止部は、第１の変形可能なガイドチューブ１２の内部で相対的に相互作用し、プッシャーロッド及びプッシャー停止部が作動することによって、ステントを第１の変形可能なガイドチューブ１２の上流端（遠位端）から押し出すことができる。
【０１０１】
プッシャー停止部１５ｂは、初期では、第１の変形可能なガイドチューブ１２の内部のステントのすぐ下流に配置されている。
【０１０２】
以下の実施例１及び実施例２の２つの実施形態では、上記のように径方向に圧縮された保護装置５を収容する導入器の第１の変形可能なガイドチューブ１２が、腹部において、吻合が形成されるべき位置１０１で区分された腸の上流部１００ａに導入される。この場合、留置位置は吻合の上流１０ｃｍから２０ｃｍの距離にある。
【０１０３】
この段階では、ステントならびに外部シース２及び吸引チューブ３は、ステントの内部に静止して収納され、少なくとも部分的には第１の変形可能なガイドチューブ１２の内部に静止して収納されている。ステント１は、初期の形態では、導入器の中に閉じられて収納されており、ステント１は、変形可能なガイドチューブ１１の直径まで、すなわち具体的には１０ｍｍまで減少した直径を有する。
【０１０４】
ステントは、第１の変形可能なガイドチューブ１２の外で腸の上流部１００ａの管腔内に解放されると、徐々に最終的な直径に戻る。外科医が腸壁越しにステントを手で挟むことよって、ステントをしかるべき場所で一時的に保持することができる。その後、導入器の少なくとも一部は、外部シース２及び吸引チューブ３がステントの下流において広がったり展開したりすることなく除去される。しかし、これらの部材は吻合範囲まで部分的に展開できる（ステントはこの範囲よりも大きい１０ｃｍから２０ｃｍの間で解放される）。これによって、吻合が形成され、その後、外部シース及び吸引チューブがステントの下流においてより十分に広がり展開する。ステントは、徐々に最終的な直径に戻りながら、この段階で第１変形可能ガイドチューブ１２の外側で腸の管腔内に解放され、理想的にはその後、吻合が形成される。
【０１０５】
前記第１の変形可能なガイドチューブ１２は、内直径１０ｍｍ、外直径１７ｍｍ、及び少なくとも長さ７０ｃｍ、好ましくは少なくとも長さ１００ｃｍ、であり、５ｃｍごとに目盛りが付けられている。前記第１の変形可能なガイドチューブ１２は、挿入及び除去時の摩擦を制限するＰｅｂａｘ（Ｒマーク）素材で作られている。
【０１０６】
第２の硬質チューブ１３は、長さ１７６ｍｍであり、直径５３ｍｍの突出部を有する凸状に湾曲した接続部１３ａを含み、長さ４６ｍｍのストッパーを形成する。第２の硬質チューブ１３は中央ガイド溝１３ｂを有し、中央ガイド溝１３ｂは内部プッシャーロッドの並進を制御する。
【０１０７】
前記プッシャー１５のシャフト１５ａは、ステンレス鋼で作られ、停止部１５ｂの前方で長さ４８７ｍｍを有する。ロッド１５ａは、仮想縦軸ＸＸ’に沿って螺旋状に巻かれ、互いに接した複数の周回部を有する、直径１．４ｍｍのワイヤーで形成されたロッドであり、互いに接した複数の周回部の直径は、外直径７ｍｍである変形可能なロッドを形成する。このようなロッド１５ａは、曲がりの形を変更して最大９０°の屈曲を可能にすることができる。
【０１０８】
図４Ａから図４Ｄは、アンビル８及び円形ステープラー９を用いて吻合を形成することに関する様々な工程を示す。アンビル８は、腸の上流部１００ａの自由端における吻合の位置１０１のすぐ上流にある腸の上流部１００ａに挿入される。次に、腸のこの自由端の結紮は、アンビル８の環状断面部分８ａの後ろのシャフト８ｂの周りにある巾着８’で行われる。次に、ステープラー９は腸の下流部１００ｂに導入され、ステープラー９はアンビルの環状部分８ａを覆うために環状断面の中空本体９ｂを備え、シャフト８ｂ内で軸方向の中空（図示せず）と協働することができる軸方向のフィンガー９ａを含み、これによって、図４Ｄに示すように、アンビル８及びステープラー９の部品を腸から除去する前に、腸の上流部１００ａと腸の下流部１００ｂとの間の吻合１０１でステープルを行うために、ステープラー９をアンビル８と連携させることができる。図４Ｂから図４Ｄでは、ステープラー９は概略図として、腸の下流部の下流に示されていて、直腸を介して最初に実際に導入されることが理解される。特に、ＣＯＶＩＤＩＥＮ（フランス）社のＥＥＡ（Ｒマーク）ステープラーが使用され、このステープラーは、ハンドル９ｄと、ステープルを制御するためのアンビル８と連携するステープラー部品９ｂにハンドル９ｄを接続するために腸の湾曲に追従できる変形可能なダクト９ｃとを備える。
【０１０９】
より正確には、次の一連の工程が実行される。
１）罹患した腸は、線形ステープラーを使用して切除され、閉鎖部１００ｄを形成し、腸の患部の下流１００ｂにある腸を区分する。
２）巾着８’を患部の上流に位置する腸に当てて、切断する。
３）円形ステープラーのアンビル８が腸の上流部１００ａに挿入され、巾着８’がその中心軸８ｂの周りに締められ、結び付けられる。
４）円形ステープラーの本体９ｂは、その閉鎖端１００ｄまで（肛門外口を通して）腸の下流部１００ｂに挿入される。
５）円形ステープラーの中心軸９ａは、貫通によって腸の下流部の壁を通して押し出される。
６）円形ステープラーの中心軸９ａは、アンビルの中心軸８ｂに接続される。
７）互いに接合された２つのピン８ａ及びピン９ａがステープラーの本体に挿入され、これにより、アンビル部分がステープラーの本体部分に取り付けられる。
８）１０１において互いに接合された２つの腸部位１００ａ及び腸部位１００ｂの壁がステープラーで留められ、円形断面に切開される。プッシャー末端の停止部１５ｂはＰｅｂａｘ（Ｒマーク）素材でできており、直径及びロッドの長手方向の厚さは１０ｍｍである。
【０１１０】
実施例１及び実施例２の２つの実施形態では、ステープラー留めが行われた後にアンビルを除去することによって、外部シース２及び吸引チューブ３が広げられ、ステントの下流に延ばされる。
【０１１１】
保護装置の除去は、吻合部の治癒後に行うのが理想的である。吻合部の治癒の標準的な期間は１４日である。
【０１１２】
引き出しは２通りの方法で行うことができる。
ａ）内視鏡処置中の逆転による除去。この場合、ステントの遠位（又は上流）端にあるラッソの輪６ｂを鉗子でつかむ。これは、ステントの直径を小さくする効果がある。ステントが十分に径方向に収縮されたら、ラッソワイヤーを引っ張ることにより、ステントをひっくり返すことができる。これにより、ステントが反転又は裏返しされ、組織から徐々に引っ張られる。
ｂ）引き出しの２番目の方法には、引き出しチューブの使用が含まれる。この場合、外部シースと吸引チューブは、引き出しチューブに挿入される。ステントの近位（又は嚥下）端にあるラッソの輪６ａを鉗子でつかむ（これは内視鏡の使用によって導かれる）。これは、（径方向の収縮により）ステントの直径を小さくする効果がある。ステントが十分に収縮すると、ステントを除去チューブにスライドさせることができる。収縮チューブを前進させると、組織を緩めてステントを無傷で回収できる。次に、ステントを含む引き出しチューブが肛門経路によって除去される。
【０１１３】
実施例１及び実施例２の２つの実施形態では、導入器のいくつかの構成部材の接続構成が、互いの間で、又は保護装置１との間で異なり、特に、外部シース３の及び吸引−注入チューブ４の下流の長手方向の端部は、異なる導入器の部材に接続されている。外部シース２及び吸引チューブ３の下流端は、実施例１の実施形態における前記第１のガイドチューブ１２の遠位端に、及び第１の接続部品１１に取り付けられ、第１の接続部品１１は、実施例２の実施形態におけるプッシャー停止部１５ｂに可逆的に取り付けられることができる。
【実施例】
【０１１４】
実施例１
図５Ａ、図５Ｂ、図６、図７Ａ、及び図７Ｂでは、本発明による複合的な装置の第１の実施形態が示され、シース２及び吸引チューブ３の下流端は、第１の変形可能なチューブ１２の上流端又は近位端の近くの２ｂ−３ｂに固定される。
【０１１５】
図５Ａでは、シース２及び吸引チューブ３は、ステント１の内側で折り畳まれ、ステントの下流でシール４ｂを越えて突出し、第１のガイドチューブ１２の上流端を外側から、シース２の端部及び吸引チューブ３の端部と接合させる。そして、吸引チューブ３は、第１のガイドチューブ１２の上流端又は近位端の近くの２ｂ−３ｂにおいて、第１のガイドチューブ１２の内壁に接着されている。
【０１１６】
図５Ｂは、ステント１の内側にシース２及び吸引チューブ３のいくつかの折り目がある実施形態を概略的に示し、シース２及び吸引チューブ３は、ステント１の外壁と第１のガイドチューブ１２の内壁の間に挿入されることによって第１の変形可能なチューブ１２の内壁に接合する。図５Ｂでは、ステント１の外側におけるシース２及び吸引チューブ３の配置を示すために、ステント１と第１のガイドチューブ１２の内壁との間の空間を誇張することによって、第１のガイドチューブ１２の内側でのステント１の配置が概略的に示されている。しかし、実際には、ステント１は、シース２がこの初期段階でそれらの間に挿入され押し込められている状態で、第１のガイドチューブ１２の内壁を押す径方向の圧縮状態にある。
【０１１７】
この実施形態では、プッシャー１５の停止部１５ｂは、ステントの直径よりもわずかに大きい断面直径を有し、したがって、導入器１０のハンドル１４で作動されるプッシャー１５の並進推力の影響下で、第１の変形可能なガイドチューブ１２の近位端１２ａの出口に向かってステントを排出することができる。
【０１１８】
図６は、図７Ａから図７Ｄに関連して以下で説明される吻合の完了後、第１のチューブ１２が腸から除去される状況が図７Ｄに示されるものであるとき、ステント１の下流のシース２及び吸引チューブ３が完全に展開することを示す。実際には、この除去は、ステープラーが肛門外口から出るまで行われる。この時点で、図７Ｄに示されるように、シース２及び吸引チューブ３は、それらを第１のチューブ１２、第１のチューブ１２は第２の接続部品１２ｂによってステープラー９に取り付けられている、の複合的な部品から分離するためにはさみ１６で切断される。
【０１１９】
この実施形態では、図７Ａから図７Ｃに示されるように、第１の変形可能なガイドチューブ１２の近位端は、実際には、第２の接続部品１２ｂと呼ばれる部品を備え、第２の接続部品１２ｂは、アダプター７と呼ばれる部品の相補的なねじ込み部７ａと協働してねじ込み可能な内部のねじを備える。アダプター７は、例えばアンビル８の前面８ｃとの可逆的な結合によって固定することができる。
【０１２０】
この実施形態では、第２の接続部品１２ｂは、図２に示すように、最初に、相補的なねじ込み部１３ｂを第２の硬質ガイドチューブ１３の遠位端にねじ込み、図２Ａ及び図５Ａの構成に到達することにより、導入器１０を受け入れる働きをする。図２Ａ及び図５Ａでは、停止部１５ｂは、第１のガイドチューブ１２の内部のステント１の下流端のそばにある。このとき、プッシャーロッド１５ａは、第２の硬質ガイドチューブ１３に沿ったくぼみ１３ｃを介して、ハンドル１４に対する第２の硬質ガイドチューブ１３の相対的な並進によって作動する。この並進は、図２Ｂに示されるように、第１のガイドチューブ１２からステント１を押し出すために、プッシャーロッド１４ａの作動によって制御される。この時点で、第２の接続部品１２ｂは、腸の上流部１００ａのほぼ自由端に位置し、それゆえ、図７Ａから図７Ｃに示すように、アダプター７の介在を介してアンビル８を受け入れる位置にある。次に、図４Ａから図４Ｃを参照して説明したように、ステープラー９を用いて吻合を形成する。次に、第１のガイドチューブ１２−アンビル８−ステープラー９は、図６及び図７Ｄに示される構成へと、肛門外口で患者の外側から除去される。図７Ｄでは、ステープラー９は、直腸を介して腸から実際に除去されているという理解の下、腸の下流部１００ｂの下流で概略図として示されている。
【０１２１】
この実施形態では、好ましくは、シース２及び吸引チューブ３は、２ｂ及び３ｂの変形可能チューブ１２の端部に直接取り付けられず、縫合糸（図示せず）等の結束を介して取り付けられる。
【０１２２】
実施例２
図８Ａ、図８Ｂ、図９Ａ、図９Ｂ、図１０Ａ、図１０Ｂ、図１０Ｃ、図１１Ａ、及び図１１Ｂは、本発明による複合的な装置の第２の実施形態の際立った特徴を示す。
【０１２３】
この第２の実施形態では、シース２の下流端及び吸引チューブ３の下流端は、ステント１の下流端のすぐ外側に配置された第１の接続部品１１に取り付けられる。
【０１２４】
図８Ａ及び８Ｂは、ステント１内部のシース２及び吸引チューブ３の配置の２つの変形例を示す。いずれの場合でも、シース２及び吸引チューブ３は、初期にはステント内部に配置される。図８Ａの第１の好ましい変形例では、吸引チューブ３及びシース２は、第１の接続部品１１の遠位端で筒状部分１１ａに単に取り付けられ、ステント１の内部で折り畳まれ、吸引チューブ３は図８Ｂの第２の変形例のように筒状部分１１ａ上に巻き付けられない。この第２の実施形態における本発明による複合的な装置の実装の様々な段階は、図８Ｂのこの第２の変形例に関して示されているが、図８Ａの変形例に置き換えることができる。接続部品１１の筒状部分１１ａは、初期にステント１の下流端でステント１の内側にはめ込み、より大きな直径の部品１１ｂは、挿入段階のためのプッシャーロッドの停止部１５ｂの支持体として機能し、その後、ステープラー留めをして吻合を形成する段階のためのアンビル８の前面８ｃに対する接続部品１１の可逆的な固定に機能する。
【０１２５】
この実施形態では、本発明による複合的な装置は、保護装置５及び第１の接続部品１１の部品を備え、第１の接続部品１１は第１のガイドチューブ１２から独立している。したがって、第１のガイドチューブ１２は、図９Ａに示すように、導入器１０の第２の硬質ガイドチューブ１３の遠位端へと、接続部１３ａにおいて不可逆的に固定することができる。
【０１２６】
図９Ａ及び図９Ｂは、初期にプッシャーロッド１５ａの遠位端の停止部１５ｂが第１の接続部品１１の平坦な近位面１１ｂに対して当てられ、プッシャーロッド１５の並進によって第１のガイドチューブ１２からステント１を押し出すことを示す。次に、図１０Ａに示すように、導入器１０を腸の上流部１００ａから除去して、吻合の位置１０１に第１の接続部品１１を残す。図１０Ｂに示すように、部品１１が吻合の位置に至るまで、導入器１０を予備的に部分的に除去する期間において、停止部１５ａが第１の接続部品１１に可逆的に接着され、シース２及び吸引チューブ３を部分的に展開できることが有利である。この時点で、アンビル８は、第１の接続部品１１に、例えば可逆的な結合によって、可逆的に固定される。その後、図１１Ａ及び図１１Ｂの状態に至るまで、実施例１のように及び図４Ａから図４Ｃに示されるように、吻合が形成される。図１１Ａ及び図１１Ｂの状態において、第１の接続部品１１−アンビル８−ステープラー９についている部品は除去され、シース２及びキューブ３が肛門外口までステント１の下流及び吻合１０１の下流で完全に展開され、肛門外口においてシース２及び吸引チューブ３ははさみ１６を用いて第１の接続部品１１から切り離される。図１１Ａ及び図１１Ｂでは、腸の下流部１００ｂの下流におけるステープラー９が概略的に示されているが、ステープラー９は、実際にはハンドル９ｄを用いて直腸を介して腸から挿入及び除去され、ハンドル９ｄは直腸の外側に留まっている。
【０１２７】
簡略化された変形例（図示せず）では、初期に柔軟なシース２と２つの吸引チューブ２が前記第１チューブ１２内に配置されているが、完全にステントの外側にあり、ステントの下流において前記ステントは前記第１のガイドチューブ内で径方向に圧縮されている。２つの吸引チューブ２は、前記ステントに対して径方向反対に、及び、シースの外側に、延びることができるように配置される。
【図１Ａ】
2021500147.tif 000003
【図１Ｂ】
2021500147.tif 000004
【図１Ｃ】
2021500147.tif 000005
【図２】
2021500147.tif 000006
【図２Ａ】
2021500147.tif 000007
【図２Ｂ】
2021500147.tif 000008
【図３Ａ】
2021500147.tif 000009
【図３Ｂ】
2021500147.tif 000010
【図４Ａ】
2021500147.tif 000011
【図４Ｂ】
2021500147.tif 000012
【図４Ｃ】
2021500147.tif 000013
【図４Ｄ】
2021500147.tif 000014
【図５Ａ】
2021500147.tif 000015
【図５Ｂ】
2021500147.tif 000016
【図６】
2021500147.tif 000017
【図７Ａ】
2021500147.tif 000018
【図７Ｂ】
2021500147.tif 000019
【図７Ｃ】
2021500147.tif 000020
【図７Ｄ】
2021500147.tif 000021
【図８Ａ】
2021500147.tif 000022
【図８Ｂ】
2021500147.tif 000023
【図９Ａ】
2021500147.tif 000024
【図９Ｂ】
2021500147.tif 000025
【図１０Ａ】
2021500147.tif 000026
【図１０Ｂ】
2021500147.tif 000027
【図１０Ｃ】
2021500147.tif 000028
【図１１Ａ】
2021500147.tif 000029
【図１１Ｂ】
2021500147.tif 000030
【国際調査報告】
2021500147.tif 000031
2021500147.tif 000032
2021500147.tif 000033
2021500147.tif 000034
2021500147.tif 000035